(57)【要約】【課題】可動部を支持する支持ワイヤを、真っ直ぐの状態で可動部に半田付けすることができ、また、半田付け作業の工程を簡略化することができる光ピックアップを提供する。【解決手段】光ピックアップ１は、対物レンズとフォーカスコイル７とトラッキングコイル８とが設けられた可動部３と、可動部を移動可能に支持する支持ワイヤ４と、支持ワイヤを支持する支持台５と、支持台が取付けられ、フォーカスコイルおよびトラッキングコイルに対応して永久磁石９が取付けられたヨーク部６とを備えている。可動部３には、半田面４０を有する突起部４１が設けられ、支持ワイヤの先端が半田面に当接して半田付けされることにより、支持ワイヤと、フォーカスコイルまたはトラッキングコイルとが電気的に接続されている。【選択図】　　図２
2004063051.tif 000002
【特許請求の範囲】
【請求項１】
光ディスクの記録面上に光を集光させるための対物レンズが設けられ、前記光ディスクに対する前記対物レンズの位置などの状態をフォーカスコイルおよびトラッキングコイルで微調整可能な可動部と、
この可動部を移動可能に支持する複数の支持ワイヤと、
この支持ワイヤを支持する支持台と、
この支持台が取付けられ、前記フォーカスコイルおよび前記トラッキングコイルに対応して永久磁石が取付けられたヨーク部とを備えた光ピックアップであって、
前記可動部には、半田面を有する複数の被当接部が設けられ、
前記支持ワイヤの先端が前記被当接部の前記半田面に当接して半田付けされることにより、この支持ワイヤと、前記フォーカスコイルまたは前記トラッキングコイルとが電気的に接続されていることを特徴とする光ピックアップ。
【請求項２】
前記半田面は、前記支持ワイヤに対してほぼ垂直になるように形成されていることを特徴とする請求項１に記載の光ピックアップ。
【請求項３】
前記半田面は、前記支持ワイヤに対して所定角度斜めになるように形成されていることを特徴とする請求項１に記載の光ピックアップ。
【請求項４】
前記可動部は絶縁性を有する本体部を有するとともにこの本体部には支持部が突出形成され、
前記支持ワイヤは、前記支持部に穿設された貫通孔に挿入されてこの貫通孔の内周面に規制され且つ真っ直ぐな状態を保って前記半田面に当接するようにしたことを特徴とする請求項１，２または３に記載の光ピックアップ。
【発明の詳細な説明】
【０００１】
【発明の属する技術分野】
本発明は、光ディスクの記録面上に対物レンズで光を集光させて情報の記録，再生などを行う光ピックアップに関する。
【０００２】
【従来の技術】
光ピックアップは、光ディスク再生装置および光ディスク記録再生装置など光ディスク装置に使用される。光ピックアップは、記録媒体である光ディスクの記録面上に光たとえばレーザー光を集光させて、情報の記録，再生などを行うための装置である。
【０００３】
図６ないし図８は従来の光ピックアップを示す図で、図６および図７は、それぞれ光ピックアップの平面図，正面図、図８は、前記従来の光ピックアップの支持ワイヤを半田付けする状態を示す説明図である。
図６および図７に示すように、光ピックアップ１０１は可動部１０４を有しており、この可動部１０４は、複数の支持ワイヤ１０２を介して支持台１０３に支持されて移動可能である。
可動部１０４は、レーザ光を集光させるための対物レンズ１０５と、光ディスクに対する対物レンズ１０５の位置などの状態を微調整するためのフォーカスコイル１０６およびトラッキングコイル１０７とを有している。フォーカスコイル１０６とトラッキングコイル１０７には、支持ワイヤ１０２を介して電流が供給される。
図６ないし図８に示すように、可動部１０４には、支持ワイヤ１０２を半田付けするための突起部１０８が、支持ワイヤ１０２の数と同数形成されている。突起部１０８には、フォーカスコイル１０６またはトラッキングコイル１０７の巻線の端部１０９が巻き付けられている。
突起部１０８の半田面１１０で支持ワイヤ１０２を半田付けすることにより、支持ワイヤ１０２が半田１１１を介してフォーカスコイル１０６またはトラッキングコイル１０７と電気的に接続される。
【０００４】
【発明が解決しようとする課題】
しかしながら、従来の光ピックアップ１０１の半田面１１０は、支持ワイヤ１０２とほぼ平行に形成されている。半田付けを行うと、半田１１１は硬化するときに収縮する性質がある。
そのため、半田面１１０と、この半田面１１０とほぼ平行に配置される支持ワイヤ１０２との間にクリアランスｄがある状態で半田付けすると、半田１１１が硬化時に収縮することにより、支持ワイヤ１０２には半田面１１０側に引っ張られる引っ張り力Ｆが作用する。
その結果、支持ワイヤ１０２が、鎖線（図８）に示すように曲がってしまう恐れがあった。また、クリアランスｄが大きいと、半田１１１の量も多く必要になるので、引っ張り力Ｆが大きくなって支持ワイヤ１０２が曲がりやすくなってしまう。支持ワイヤ１０２が曲がると、可動部１０４の移動動作に悪影響を与えて、光ピックアップ１０１の性能や特性を低下させる恐れがある。
半田１１１の量の違い、半田付けの位置の違いなどによって、各支持ワイヤ１０２に加わる引っ張り強度（弛緩強度）に違いが生じて、支持ワイヤ１０２に撓み（曲がり）が生じると、可動部１０４が歪んで取付けられる恐れがある。
【０００５】
光ピックアップ１０１の各部品の加工精度には限界があるので、支持ワイヤ１０２の曲がりをなくすためにクリアランスｄが零になるように管理するのは実際上困難である。
クリアランスｄがマイナスすなわち支持ワイヤ１０２が半田面１１０に乗り上げた状態にすると、引っ張り力Ｆによる影響はなくなるが、支持ワイヤ１０２自体は曲がってしまう。
また、突起部１０８に巻き付けられた巻線の端部１０９の上に支持ワイヤ１０２が乗り上げた状態の場合には、突起部１０８に巻き付けられた巻線端部１０９の量によって、支持ワイヤ１０２が曲がる恐れもあった。
【０００６】
さらに、半田付け作業時に、支持ワイヤ１０２を支持台１０３の孔などに通した際に、支持ワイヤ１０２が半田面１１０とほぼ平行なので、支持ワイヤ１０２はその長手方向に動いてしまって位置決めできない。したがって、組立用の治具にストッパ１１２を設け、このストッパ１１２に支持ワイヤ１０２の端部を当接させて位置決めする必要があった。
フォーカスコイル１０６の一方側（図７の上方）に配置された突起部１０８の半田面１１０と、フォーカスコイル１０６の他方側（図７の下方）に配置された突起部１０８の半田面１１０は、１８０度反対方向を向いている。
その結果、半田付け作業の途中で光ピックアップ１０１をひっくり返さなければすべての支持ワイヤ１０２の半田付けができないので、半田付け作業の工程が複雑化するとともに半田付けの自動化も困難であった。
支持ワイヤ１０２を、可動部１０４に設けられた支持部１１３の孔１１４に挿通する場合、半田面１１０が支持ワイヤ１０２とほぼ平行に形成されているので、突起部１０８を、支持部１１３の孔１１４の中心軸線に対して偏芯させる必要がある。その結果、可動部１０４全体の厚み寸法が大きくなるので、可動部１０４の薄型化が困難であった。
【０００７】
本発明は、このような課題を解決するためになされたもので、可動部を支持する支持ワイヤを、真っ直ぐの状態で前記可動部に半田付けすることができ、また、半田付け作業の工程を簡略化することができる光ピックアップを提供することを目的とする。
【０００８】
【課題を解決するための手段】
上述の目的を達成するため、本発明にかかる光ピックアップは、光ディスクの記録面上に光を集光させるための対物レンズが設けられ、前記光ディスクに対する前記対物レンズの位置などの状態をフォーカスコイルおよびトラッキングコイルで微調整可能な可動部と、この可動部を移動可能に支持する複数の支持ワイヤと、この支持ワイヤを支持する支持台と、この支持台が取付けられ、前記フォーカスコイルおよび前記トラッキングコイルに対応して永久磁石が取付けられたヨーク部とを備えた光ピックアップであって、前記可動部には、半田面を有する複数の被当接部が設けられ、前記支持ワイヤの先端が前記被当接部の前記半田面に当接して半田付けされることにより、この支持ワイヤと、前記フォーカスコイルまたは前記トラッキングコイルとが電気的に接続されている。
前記半田面は、前記支持ワイヤに対してほぼ垂直になるように形成されているのが好ましい。
前記半田面は、前記支持ワイヤに対して所定角度斜めになるように形成されていてもよい。
前記可動部は絶縁性を有する本体部を有するとともにこの本体部には支持部が突出形成され、前記支持ワイヤは、前記支持部に穿設された貫通孔に挿入されてこの貫通孔の内周面に規制され且つ真っ直ぐな状態を保って前記半田面に当接するように構成するのが好ましい。
【０００９】
【発明の実施の形態】
以下、本発明にかかる実施の形態の一例を、図１ないし図５を参照して説明する。
図１ないし図５は本発明の一実施形態を示す図で、図１，図２はそれぞれ光ピックアップの平面図，正面図、図３は前記光ピックアップの分解斜視図である。
図１ないし図３において、光ディスク装置（図示せず）に使用される光ピックアップ１は、移動機構（図示せず）により、記録媒体である光ディスクの半径方向に制御されつつ移動可能になっている。
光ディスク装置において、光ディスクが駆動モータにより回転駆動されている状態で、移動機構で所望の位置に光ピックアップ１を移動させる。そして、光ピックアップ１は、光ディスクの記録面上に対物レンズ２で光（たとえば、レーザー光）を集光させて、光ディスクに対して情報の記録，再生などを行う。
光ディスクとしては、ＣＤ，ＣＤ−ＲＯＭ，ＣＤ−Ｒ，ＣＤ−ＲＷ，ＭＤ，ＭＯ，ＤＶＤ−ＲＯＭ，ＤＶＤ−ＲＡＭ，ＤＶＤ−Ｒ，ＤＶＤ−ＲＷなどがある。
【００１０】
光ピックアップ１は、可動部３，支持ワイヤ４，支持台５およびヨーク部（継鉄部）６などを有している。
可動部３には、光ディスクの記録面上に光を集光させるための対物レンズ２が設けられている。可動部３は、光ディスクに対する対物レンズ２の位置や姿勢などの状態を、フォーカスコイル７およびトラッキングコイル８で微調整可能になっている。
なお、説明の便宜上、対物レンズ２の光軸Ｂと平行な方向、すなわちフォーカス方向をＸ方向とする。このＸ方向と直交する光ディスクの半径方向、すなわちトラッキング方向をＺ方向とし、Ｘ方向およびＺ方向と直交する方向をＹ方向とする。
本実施形態（変形例も同様）では、対物レンズ２が可動部３のほぼ中央部に配置された「レンズセンタータイプ」の光ピックアップ１の場合を示している。なお、本発明は、対物レンズ２が可動部の外側に配置された「レンズオフセットタイプ」の光ピックアップにも適用可能である。
支持台５は複数（ここでは、四本）の支持ワイヤ４を支持しており、四本の支持ワイヤ４は、可動部３を移動可能に支持している。磁性体からなるヨーク部６には、支持台５が取付けられるとともに、フォーカスコイル７およびトラッキングコイル８に対応して永久磁石９が所定位置に取付けられている。
【００１１】
可動部３に設けられたフォーカスコイル７は、可動部３をフォーカス方向（対物レンズ２の光軸Ｂと平行な方向（Ｘ方向））に移動させ、トラッキングコイル８は、可動部３をトラッキング方向（光ディスクの半径方向（Ｚ方向））に移動させることができる。フォーカスコイル７とトラッキングコイル８には、支持ワイヤ４を介して電流が供給される。
可動部３は、平面視でほぼ矩形状の本体部２０を有しており、本体部２０は、絶縁性を有する樹脂材料などにより一体的に形成されている。対物レンズ２，フォーカスコイル７およびトラッキングコイル８などは、本体部２０の所定位置に設けられている。
本体部２０に支持された対物レンズ２は、光ディスクの記録面上にレーザー光などの光を集光させる。一つのフォーカスコイル７は、その巻軸が対物レンズ２の光軸Ｂと平行（Ｘ方向と平行）になるように本体部２０の外周面全周に巻回されている。
本体部２０の一方の側面には、外方に若干突出して二つのトラッキングコイル用支持部２１が形成されている。本体部２０の一方の側面から１８０度反対方向の他方の側面にも、二つのトラッキングコイル用支持部２１が、外方に若干突出して形成されている。
各トラッキングコイル用支持部２１には、トラッキングコイル８がそれぞれ巻回されている。本体部２０の一方の側面には、二つのトラッキングコイル８がＺ方向に並んで配置され、他方の側面にも、二つのトラッキングコイル８がＺ方向に並んで配置されている。すなわち、各トラッキングコイル８は、それぞれの巻軸の方向が光軸Ｂ（Ｘ方向）と直交するＹ方向となるようにトラッキングコイル用支持部２１に巻回されている。
【００１２】
ヨーク部６は、光ディスク装置のケースまたはベース部材（図示せず）などの固定側に固定され、所定形状に形成されている。ヨーク部６は、平面視でほぼ矩形の板状に形成され光ディスク装置の固定側に取付けられた基台２５と、基台２５にほぼ直角に固定され且つ可動部３の外側に配置された二つの第１のヨーク２６と、基台２５にほぼ直角に固定され且つフォーカスコイル７より内方側に配置された複数（ここでは、二つ）の第２のヨーク２７とを有している。
第１のヨーク２６と第２のヨーク２７は、基台２５に突出して設けられ、互いに平行に且つ所定の位置に配置されている。二つの第２のヨーク２７は、フォーカスコイル７の内側に位置し且つ本体部２０に貫通形成された二つの中空部２８を挿通して配設されている。
一対の永久磁石９は、ヨーク部６に取付けられ、一個のフォーカスコイル７および合計四個のトラッキングコイル８に対応して所定位置に配置されている。二つの永久磁石９は、二つの第１のヨーク２６に（または、直接基台２５に）それぞれ接着剤などにより固着されている。各永久磁石９は、二つ並んだトラッキングコイル８に対向して配置されている。
【００１３】
フォーカスコイル７は、その内方に配置された一方の第２のヨーク２７と、第２のヨーク２７の近傍で且つフォーカスコイル７の外方に配置された一方の永久磁石９との間で磁気回路を構成している。これと同様に、フォーカスコイル７は、他方の第２のヨーク２７と他方の永久磁石９との間でも、磁気回路を構成している。
四つのトラッキングコイル８の巻線は、それぞれ巻線方向がフォーカスコイル７の巻線方向に対して直角になるように巻回されている。
本体部２０の一方の側面に取付けられた二つのトラッキングコイル８は、一方の永久磁石９と一方の第２のヨーク２７とが形成する磁界中に配置されて磁気回路を形成している。
また、本体部２０の他方の側面に取付けられた二つのトラッキングコイル８は、他方の永久磁石９と他方の第２のヨーク２７とが形成する磁界中に配置されて磁気回路を形成している。
【００１４】
支持ワイヤ４は、可動部３の両側にＹ方向とほぼ平行にそれぞれ二本ずつ合計四本設けられている。支持ワイヤ４は、その一端部が可動部３側に固定され、他端部が支持台５側に固定されている。
可動部３は、四本の支持ワイヤ４を介して支持台５とヨーク部６との間の空間に浮いている格好で取付けられるので、移動や揺動などの動作を行なって、可動部３の状態（可動部３の位置，姿勢など）を自在に変化させることができる。
【００１５】
支持台５には、支持ワイヤ４が接続されるプリント配線板３０が接着剤などで固着されている。プリント配線板３０には、支持ワイヤ４を係合させるための複数（ここでは、四つ）の孔３２が所定位置に穿設されている。
支持台５には、複数（ここでは、四つ）の貫通孔３１が所定位置に穿設されている。支持ワイヤ４は支持台５の貫通孔３１を貫通し、支持ワイヤ４の他端部は、プリント配線板３０の孔３２に係合してプリント配線板３０と電気的に接続されて支持台５に固定されている。
可動部３には、半田面４０を有する複数（ここでは、四個）の被当接部としての突起部４１が設けられている。支持ワイヤ４の一端部は、本体部２０の突起部４１に半田４４により接続固定されている。
突起部４１には、フォーカスコイル７またはトラッキングコイル８の巻線の端部４５（図４）が巻き付けられており、この突起部４１は巻線端部４５を絡げるための絡げ用突起である。電気的導通を確保するために、突起部４１における巻線端部４５の一部または全部の絶縁被膜が除去されている。
【００１６】
支持ワイヤ４の先端が、突起部４１の半田面４０に当接して半田付けされることにより、支持ワイヤ４と、フォーカスコイル７またはトラッキングコイル８とが電気的に接続されている。突起部４１は、半田付け時における支持ワイヤ４の抜け止めの機能も発揮する。
上述のように、可動部３を支持する支持ワイヤ４の先端が突起部４１の半田面４０に当接して半田付けされるように構成したので、支持ワイヤ４を真っ直ぐの状態で可動部３に半田付けすることができ、また、半田付け作業の工程を簡略化することができる。
なお、被当接部として、本体部２０に一体的に突出形成された突起部４１の場合を示しているが、被当接部は、フォーカスコイル７またはトラッキングコイル８と電気的に接続されて半田面４０を有するプリント配線板であってもよい。
【００１７】
本体部２０には、支持ワイヤ４と係合する複数（ここでは、四つ）の支持部４２が突出形成され、支持部４２には貫通孔４３が穿設されている。支持ワイヤ４に係合する各支持部４２とこれに対応する突起部４１は、Ｙ方向に並んで配置され、それぞれ支持ワイヤ４の数と同数設けられている。貫通孔４３に支持ワイヤ４が挿通されることにより、可動部３が、支持部４２を介して支持ワイヤ４に支持されている。
フォーカスコイル７の巻線および四つのトラッキングコイル８の各巻線は、支持ワイヤ４と、支持ワイヤ４が電気的に接続されたプリント配線板３０とによって、制御回路（図示せず）に電気的に接続されている。
【００１８】
光ピックアップ１は、図示しない光学系を有している。この光学系は、レーザー光を発生する半導体レーザーなど光源，光検出器，反射ミラー，レンズおよび回折格子などを有している。対物レンズ２も、この光学系に含まれる。
光検出器は、光ディスクの記録面で反射したレーザー光を受光し、再生信号を検出するとともに、光ディスクの記録面の傾きを検出し、フォーカスエラー信号，トラッキングエラー信号なども検出する。
【００１９】
図４は、光ピックアップの支持ワイヤ４を半田付けする状態を示す説明図で、図４（Ａ），（Ｂ）は、本実施形態，その変形例をそれぞれ示している。図５は、この変形例にかかる光ピックアップ１ａの部分平面図である。
図１ないし図３，図４（Ａ）に示す光ピックアップ１において、突起部４１の半田面４０は、支持ワイヤ４に対してほぼ垂直になるように形成されている。支持ワイヤ４の先端が、半田面４０に当接して半田付けされる。
支持ワイヤ４の両端に可動部３と支持台５およびプリント配線板３０を取付ける場合、始めに、突起部４１の半田面４０が上方を向きＹ軸とほぼ垂直になるように（すなわち、支持台５側が上方となるように）、可動部３を治具に立てた状態で位置決め保持する。
この状態で、支持ワイヤ４の一端を支持部４２の上方側から貫通孔４３に挿通させると、支持ワイヤ４の先端部は半田面４０に当接する。このとき、支持ワイヤ４の先端部は、自重により半田面４０に自然に当接する。次いで、支持ワイヤ４の他端側に、支持台５の貫通孔３１，プリント配線板３０の孔３２の順に挿通させる。支持ワイヤ４が挿入される孔３２，貫通孔３１，４３は、支持ワイヤ４の外径より若干大きい内径で形成されている。
【００２０】
孔３２，貫通孔３１，貫通孔４３がほぼ同一直線上に配置されるように各部品が製造，組立されていれば、すべての支持ワイヤ４は真っ直ぐで且つ互いに平行な状態で半田面４０に当接することになる。この当接位置は、半田面４０内であればいずれの位置であってもよい。
半田面４０は支持ワイヤ４に対してほぼ垂直になっているので、支持ワイヤ４には無理な力がかかることなく自然な真っ直ぐの状態で半田面４０に当接する。また、支持ワイヤ４は半田面４０に当接するので、半田面４０は支持ワイヤ４の抜け止めの作用も発揮している。
この状態で、支持ワイヤ４を半田面４０に半田付けする。半田付けされた半田４４は硬化時に収縮するが、この収縮により支持ワイヤ４には引っ張り力Ｆが作用する。ところが、この引っ張り力Ｆは支持ワイヤ４の軸線方向に作用するので、支持ワイヤ４は曲がることなく真っ直ぐのままの状態を維持する。
【００２１】
支持ワイヤ４は半田面４０に当接しているので、従来のように半田面と支持ワイヤとの間のクリアランスを調整する必要はない。
従来は、支持ワイヤを軸線方向に位置決めするためのストッパ（図８の符号１１２）が必要であったが、このストッパの代わりに半田面４０が、支持ワイヤ４をその軸線方向に関して位置決めする機能を発揮している。このように、支持ワイヤ４は半田面４０に当接することにより必然的に位置決めされるので、従来のようなストッパは不要である。
支持ワイヤ４が縦方向を向くように光ピックアップ１を立てた状態で、すべての支持ワイヤ４に関する半田付け作業ができるので、従来のように半田付け作業の途中で光ピックアップをひっくり返す工程が不要であり、半田付け作業の工程を簡略化することができる。
支持ワイヤ４の先端が、半田面４０上の巻線端部４５に当接する場合もあるが、この状態で半田付けを行なっても、半田４４が硬化時に収縮すると引っ張り力Ｆは支持ワイヤ４の軸線方向に作用する。したがって、すべての支持ワイヤ４は、曲がることなく真っ直ぐで且つ互いに平行になる。
【００２２】
図４（Ｂ）および図５に示す光ピックアップ１ａでは、突起部（被当接部）４１の半田面４０が、支持ワイヤ４に対して所定角度斜めになるように形成されている。なお、光ピックアップ１ａにおいて、突起部４１の構成以外は前記光ピックアップ１と同じ構成である。
光ピックアップ１ａにおいて、前記実施形態と同じ手順で支持ワイヤ４の半田付け作業を行う場合に、支持ワイヤ４を上から孔３２，貫通孔３１，４３の順に挿入すると、支持ワイヤ４は、斜めになっている半田面４０に自重により自然に当接するとともに、矢印Ｅに示すように、斜面になっている半田面４０を自重により斜めに若干移動する。
その結果、支持ワイヤ４は、支持部４２の貫通孔４３の内周面に規制され且つ真っ直ぐな状態を保って半田面４０に当接することになる。その後、上述と同様にして支持ワイヤ４の半田付けを行えばよい。
このようにすれば、支持ワイヤ４と貫通孔４３との間に隙間があっても、すべての支持ワイヤ４が各貫通孔４３の内周面に規制されて前記隙間を打ち消すことができるので、支持ワイヤ４同士の平行度の精度を向上させることができる。
【００２３】
次に、光ピックアップ１，１ａの動作について説明する。
まず、光ディスク装置において、光ディスクが駆動モータにより回転駆動されている状態で、移動機構で所望の位置に光ピックアップ１，１ａを移動させる。そして、光学系で発生したレーザー光を対物レンズ２で記録面上に集光させて、光ディスクに対して情報の記録，再生などを行う。
光ピックアップ１，１ａの状態（可動部３の位置，姿勢など）を制御する場合には、光検出器で検出された光ディスクの記録面の傾きに関する検出結果を、変換部で電気信号に変換して、制御部に電気信号として出力する。制御部では、変換部から出力された電気信号に基づいて、フォーカスコイル７とトラッキングコイル８に流す電流を制御する。
【００２４】
対物レンズ２を、フォーカス方向（Ｘ方向）に移動させる場合には、制御部は、移動すべき方向および移動量に応じた制御電流を、支持ワイヤ４を介してフォーカスコイル７に供給する。
すると、フォーカスコイル７により生じる電磁力により、可動部３が光ディスクに対してフォーカス方向（Ｘ方向）に移動して、対物レンズ２の位置を微調整する。
同様に、支持ワイヤ４を介して四つのトラッキングコイル８に供給する電流を制御すれば、可動部３が光ディスクのトラッキング方向（Ｚ方向）に移動して、対物レンズ２の位置を微調整する。
このようにして、可動部３は、フォーカス方向，トラッキング方向にそれぞれ移動してその位置が制御される。
【００２５】
上述の光ピックアップ１，１ａでは、支持ワイヤ４の先端が半田面４０に当接して半田付けされるようにしたので、すべての支持ワイヤ４を、真っ直ぐの状態で且つ互いに平行な状態で可動部３に半田付けすることができる。これにより、可動部３は精度よく動作することができる。
従来必要としていた半田面と支持ワイヤとの間のクリアランスの管理および調整が不要になるので、それほど気を使わないで支持ワイヤ４を可動部３に半田付けすることができ、半田付け作業が容易になる。
半田４４の量が多い場合でも、引っ張り力Ｆは支持ワイヤ４を曲げる方向には作用せず、軸線方向に作用する。その結果、半田４４の収縮による悪影響を受けて支持ワイヤ４が曲がる恐れがなく、すべての支持ワイヤ４が真っ直ぐで且つ互いに平行になる。
したがって、半田４４の量の違いや半田付けの位置の違いなどによって各支持ワイヤ４に加わる引っ張り強度（弛緩強度）に違いが生じても、支持ワイヤ４に撓みが生じることはない。
その結果、可動部３は歪むことなく常に正しい姿勢で支持ワイヤ４により支持されることになり、光ピックアップ１，１ａを容易に高精度に組み立てることができ、その性能や特性を安定させて品質と歩留りを向上させることができる。
【００２６】
半田面４０により支持ワイヤ４が結果的に位置決めされ、また、半田付け作業の途中で光ピックアップ１，１ａをひっくり返す必要がない。したがって、支持ワイヤ４の挿入作業，位置決め作業，半田付け作業などの自動化が可能である。
従来技術（図６〜図８）と異なり、突起部４１は、支持部４２に対して偏心せずに同一直線上に配置されるので、可動部３の全体を薄型化することができる。
以上、本発明の実施形態（変形例を含む）を説明したが、本発明は、上述の実施形態に限定されるものではなく、本発明の要旨の範囲で種々の変形，付加などが可能である。
なお、各図中同一符号は同一または相当部分を示す。
【００２７】
【発明の効果】
本発明は上述のように構成したので、可動部を支持する支持ワイヤを、真っ直ぐの状態で前記可動部に半田付けすることができ、また、半田付け作業の工程を簡略化することができる。
【図面の簡単な説明】
【図１】図１ないし図５は本発明の実施形態の一例を示す図で、図１は光ピックアップの平面図である。
【図２】前記光ピックアップの正面図である。
【図３】前記光ピックアップの分解斜視図である。
【図４】図４（Ａ），（Ｂ）は、光ピックアップの支持ワイヤを半田付けする状態を示す説明図である。
【図５】本実施形態の変形例にかかる光ピックアップの部分平面図である。
【図６】図６ないし図８は従来の光ピックアップを示す図で、図６は光ピックアップの平面図である。
【図７】図６に示す光ピックアップの正面図である。
【図８】前記従来の光ピックアップの支持ワイヤを半田付けする状態を示す説明図である。
【符号の説明】
１，１ａ　　光ピックアップ
２　　　対物レンズ
３　　　可動部
４　　　支持ワイヤ
５　　　支持台
６　　　ヨーク部
７　　　フォーカスコイル
８　　　トラッキングコイル
９　　　永久磁石
２０　　本体部
４０　　半田面
４１　　突起部（被当接部）
４２　　支持部
４３　　貫通孔
【図１】
2004063051.tif 000003
【図２】
2004063051.tif 000004
【図３】
2004063051.tif 000005
【図４】
2004063051.tif 000006
【図５】
2004063051.tif 000007
【図６】
2004063051.tif 000008
【図７】
2004063051.tif 000009
【図８】
2004063051.tif 000010